(57)【要約】【課題】端末発呼前に電話機のオフフックを検出した際、オンフック検出までの電池の消費電力を低減すること。【解決手段】回線電圧検出部１２をオン・オフするスイッチ１部１７と、信号受信部７をオン・オフするスイッチ２部１８と、スイッチ１部１７の間欠制御を行う制御部１５とを備えている。これによって、回線電圧検出部１２と信号受信部７を別々にオン・オフ制御することが可能となり、電話機３からプツという音が聞こえることなく、回線電圧検出部１２を間欠動作させることができる。【選択図】  図１
2004153522.tif 000002
【特許請求の範囲】
【請求項１】
電話回線との直流抵抗及び交流インピーダンスの整合や電気的接続を制御する回線終端部と、信号を受信する信号受信部と、信号を送信する信号送信部と、前記信号受信部を介して受信信号を復調し、前記電話回線から受信したり送信信号を変調し、前記信号送信部、前記回線終端部を介し前記電話回線へ信号を送信するモデム部と、メータ端末と送受信するメータインターフェース部と、前記電話回線からの着信を検出する着信検出部と、前記電話回線の電圧を検出する回線電圧検出部と、前記回線電圧検出部をオン・オフする第１のスイッチと、前記信号受信部をオン・オフする第２のスイッチと、前記回線終端部、モデム部、メータインターフェース部、第１のスイッチ及び第２のスイッチが制御され、前記回線電圧検出部の出力信号により電話機のオフフック検出・オンフック検出が実行され、前記第１のスイッチの間欠制御を行う制御部と、前記回線電圧検出部、前記モデム部及び前記制御部に電源を供給する電池部を備えた端末網制御装置。
【請求項２】
制御部は、内蔵された時計機能を利用して、夜間に端末を発呼する請求項１に記載の端末網制御装置。
【請求項３】
制御部は、内蔵された時計機能を利用して、使用者の電話使用頻度が少ない時間帯に端末を発呼する請求項１に記載の端末網制御装置。
【請求項４】
制御部は、内蔵された時計機能を利用して、ある一定時間使用者の電話使用がなかった場合に端末を発呼する請求項１に記載の端末網制御装置。
【請求項５】
回線電圧検出部は、回線のオフ状態や回線の断線状態を検出する請求項１に記載の端末網制御装置。
【請求項６】
制御部は、内蔵された時計機能を利用して、夜間のみ第１のスイッチを常時制御する請求項１に記載の端末網制御装置。
【請求項７】
制御部は、内蔵された時計機能を利用して、使用者の電話使用頻度が少ない時間帯のみ第１のスイッチを常時制御する請求項１に記載の端末網制御装置。
【発明の詳細な説明】
【０００１】
【発明の属する技術分野】
本発明は電話回線に接続される端末網制御装置の回線電圧検出方式に関するものである。
【０００２】
【従来の技術】
従来、この種の端末網制御装置は、端末発呼前に電話機のオフフックを検出すると、端末発呼を中断させている（例えば、特許文献１参照）。その際、電話機がオンフックされるまで、回線電圧検出部にて電話回線の回線電圧を監視し、電話機のオンフック検出を行う。
【０００３】
図９は、従来の端末網制御装置を示すものである。図９において、１は端末網制御装置、２は電話回線、３は端末網制御装置１が取付けられている家の電話機、４はガスメータ等のメータ端末、５は電話回線２からの回線電圧を整流し電話回線２との接続を無極性にするダイオードブリッジ、６は電話回線２との直流抵抗及び交流インピーダンスの整合や接続制御を行う回線終端部、７は信号の受信を行う信号受信部、８は信号の送信を行う信号送信部、９は信号受信部７を介して受信信号の復調を行い電話回線２との受信を行ったり、送信信号の変調を行い信号送信部８，回線終端部６を介して電話回線２との送信を行うモデム部、１０はメータ端末４との送受信を行うメータインターフェース部、１１は電話回線２からの着信を検出する着信検出部、１２は電話回線２の電圧を検出する回線電圧検出部、１３は回線電圧検出部１２と信号受信部７をオン・オフするスイッチ部、１４は電話回線２と電話機３の接続制御を行うリレー部、１５は回線終端部６、モデム部９、メータインターフェース部１０、スイッチ部１３の制御を行う制御部、１６は回線電圧検出部１２やモデム部９や制御部１５に電源を供給する電池部である。
【０００４】
【特許文献１】
特開平８−２２３３１２号公報
【０００５】
【発明が解決しようとする課題】
しかしながら、前記従来の構成では、端末発呼前に電話機のオフフックを検出すると、電話機がオンフックされるまで、回線電圧検出部にて電話回線の回線電圧を監視し、電話機のオンフック検出を行わなければならず、かつスイッチ部をオン・オフすると、信号受信部及びモデム部のインピーダンスの影響による微少電圧変化により、電話機からプツという音が聞こえるため、オンフック検出するまで回線電圧検出部を常時動作させておく必要があり、電池の消費電力が大きいという課題を有していた。
【０００６】
本発明は、前記従来の課題を解決するもので、端末発呼前に電話機のオフフックを検出した際の、オンフック検出までの電池の消費電力を低減した端末網制御装置を提供することを目的とする。
【０００７】
【課題を解決するための手段】
前記従来の課題を解決するために、本発明の端末網制御装置は、回線電圧検出部をオン・オフする第１のスイッチと、信号受信部をオン・オフする第２のスイッチと、第１のスイッチの間欠制御を行う制御部を備えたものである。  これによって、回線電圧検出部と信号受信部を別々にオン・オフ制御することが可能となり、電話機からプツという音が聞こえることなく、回線電圧検出部を間欠動作させることができる。
【０００８】
【発明の実施の形態】
請求項１に記載の発明は、電話回線との直流抵抗及び交流インピーダンスの整合や接続制御を行う回線終端部と、信号の受信を行う信号受信部と、信号の送信を行う信号送信部と、前記信号受信部を介して受信信号の復調を行い前記電話回線との受信を行ったり、送信信号の変調を行い前記信号送信部，前記回線終端部を介して前記電話回線との送信を行うモデム部と、メータ端末との送受信を行うメータインターフェース部と、前記電話回線からの着信を検出する着信検出部と、前記電話回線の電圧を検出する回線電圧検出部と、前記回線電圧検出部をオン・オフする第１のスイッチと、前記信号受信部をオン・オフする第２のスイッチと、前記回線終端部，前記モデム部，前記メータインターフェース部，前記第１のスイッチ、前記第２のスイッチの制御や、前記回線電圧検出部の出力により電話機のオフフック検出，オンフック検出を行い、前記第１のスイッチの間欠制御を行う制御部と、前記回線電圧検出部や前記モデム部や前記制御部に電源を供給する電池部を備えることにより、回線電圧検出部と信号受信部を別々にオン・オフ制御することが可能となり、電話機からプツという音が聞こえることなく、回線電圧検出部を間欠動作させることができ、端末発呼前に電話機のオフフックを検出した際の、オンフック検出までの電池の消費電力を低減した端末網制御装置を提供することができる。
【０００９】
請求項２に記載の発明は、特に、請求項１に記載の制御部に、前記制御部内部の時計機能を利用して、夜間に端末発呼を行うモードを備えることにより、電話利用の少ない夜間は端末発呼前に電話機のオフフック検出をする確率が低下し、夜間の電池の消費電力を低減した端末網制御装置を提供することができる。
【００１０】
請求項３に記載の発明は、特に、請求項１に記載の制御部に、前記制御部内部の時計機能を利用して、使用者の電話使用頻度が少ない時間帯に端末発呼を行うモードを備えることにより、使用者の電話使用頻度が少ない時間帯は端末発呼前に電話機のオフフック検出をする確率が低下し、使用者の電話使用頻度が少ない時間帯の電池の消費電力を低減した端末網制御装置を提供することができる。
【００１１】
請求項４に記載の発明は、特に、請求項１に記載の制御部に、前記制御部内部の時計機能を利用して、ある一定時間使用者の電話使用がなかった場合に端末発呼を行うモードを備えることにより、端末発呼前に電話機のオフフック検出をする確率が低下し、電池の消費電力を低減した端末網制御装置を提供することができる。
【００１２】
請求項５に記載の発明は、特に、請求項１に記載の回線電圧検出部に、回線オフや回線の断線も検出する機能を備えることにより、引越した場合や回線が断線した場合の常時オフフック検出と認識してしまうことを防止し、引越した場合や回線が断線した場合の電池の消費電力を低減した端末網制御装置を提供することができる。
【００１３】
請求項６に記載の発明は、特に、請求項１に記載の制御部に、前記制御部内部の時計機能を利用して、夜間のみ前記第１のスイッチを常時制御するモードを備えることにより、夜間には電話機のオンフック直後に端末発呼できる端末網制御装置を提供することができる。
【００１４】
請求項７に記載の発明は、特に、請求項１に記載の制御部に、前記制御部内部の時計機能を利用して、使用者の電話使用頻度が少ない時間帯のみ前記第１のスイッチを常時制御するモードを備えることにより、使用者の電話使用頻度が少ない時間帯には電話機のオンフック直後に端末発呼できる端末網制御装置を提供することができる。
【００１５】
【実施例】
以下本発明の実施例について、図面を参照しながら説明する。
【００１６】
（実施例１）
図１は、本発明の実施例１における端末網制御装置のブロック図を示すものである。図１において、１は本発明の端末網制御装置、２は電話回線、３は端末網制御装置１が取付けられている家の電話機、４はガスメータ等のメータ端末、５は電話回線２からの回線電圧を整流し電話回線２との接続を無極性にするダイオードブリッジ、６は電話回線２との直流抵抗及び交流インピーダンスの整合や接続制御を行う回線終端部、７は信号の受信を行う信号受信部、８は信号の送信を行う信号送信部、９は信号受信部７を介して受信信号の復調を行い電話回線２との受信を行ったり、送信信号の変調を行い信号送信部８，回線終端部６を介して電話回線２との送信を行うモデム部、１０はメータ端末４との送受信を行うメータインターフェース部、１１は電話回線２からの着信を検出する着信検出部、１２は電話回線２の電圧を検出する回線電圧検出部、１７は回線電圧検出部１２をオン／オフするスイッチ１部、１８は信号受信部７をオン／オフするスイッチ２部、１４は電話回線２と電話機３の接続制御を行うリレー部、１５は回線終端部６，モデム部９，メータインターフェース部１０，スイッチ１部１７，スイッチ２部１８の制御や、回線電圧検出部１２の出力により電話機３のオフフック検出，オンフック検出を行い、スイッチ１部１７の間欠制御を行う制御部、１６は回線電圧検出部１２やモデム部９や制御部１５に電源を供給する電池部である。
【００１７】
以上のように構成された端末網制御装置について、以下にその動作，作用を説明する。まず、電話回線２を介して自動検針を行う検針センターのセンター装置からの着信動作について説明する。着信検出部１１はセンター装置からの着信信号を検出すると、制御部１５へ通知する。制御部１５はスイッチ２部１８をオンし、電話回線２からの受信信号は信号受信部７を介してモデム部９により検出される。
【００１８】
モデム部９は受信信号を検出すると、制御部１５へ受信信号を通知する。制御部１５はこの受信信号が自装置宛であれば、回線終端部６を通信状態の回線インピーダンスに整合させ、モデム部９，信号送信部８を介して送信信号を電話回線２へ送出する。以上の動作によりセンター装置との接続を行い、メータインターフェース部１０を介してメータ端末４とセンター装置間でデータ通信を行う。
【００１９】
一方、メータ端末４より端末発呼信号がメータインターフェース部１０を介して制御部１５へ通知されると、端末網制御装置は端末発呼動作を行う。制御部１５は回線終端部６を端末発呼状態の回線インピーダンスに整合させ、モデム部９や回線終端部６を制御して発呼先に対してダイヤリングすることで、センター装置との接続を行う。センター装置との接続後は、制御部１５とセンター装置との通信やメータ端末４からセンター装置への検針データの通知などの通信が行われる。
【００２０】
また、回線電圧検出部１２は電話回線２の回線電圧を検出しており、端末発呼前に制御部１５は予め設定された基準電圧と回線電圧検出部１２で検出した回線電圧を比較するよう構成されており、その内容から電話機３のオフフックを検出すると制御部１５は端末発呼を中断し、電話機３がオンフックされるまで、スイッチ１部を一定時間毎にオンして、回線電圧検出部１２にて電話回線２の回線電圧を監視するよう動作する。この制御部１５による要部フローチャートを図２に示す。図２において、ステップ１９から端末発呼動作が開始し、ステップ２０でスイッチ１部１７をオンし、ステップ２２で予め設定された基準電圧とステップ２１で入力された回線電圧検出部１２で検出した回線電圧を比較し、その内容から電話機３のオフフック検出を行う。電話機３のオフフックを検出した場合、ステップ２３で端末発呼動作を中断し、ステップ２４でスイッチ１部１７をオフし、ステップ２５で一定時間（ｘ秒）経過した後、ステップ２０からの動作を繰り返す。ステップ２２で電話機３のオフフックを検出しなかった場合は、ステップ２６で端末発呼処理を開始する。
【００２１】
以上のように、本実施例においては、回線電圧検出部１２をオン／オフするスイッチ１部１７と、信号受信部７をオン／オフするスイッチ２部１８と、スイッチ１部１７の間欠制御を行う制御部１５を備えることにより、回線電圧検出部１２と信号受信部７を別々にオン／オフ制御することが可能となり、電話機３からプツという音が聞こえることなく、回線電圧検出部１２を間欠動作させることができ、端末発呼前に電話機３のオフフックを検出した際の、オンフック検出までの電池の消費電力を低減した端末網制御装置を提供することができる。
【００２２】
（実施例２）
図３は、本発明の実施例２の端末網制御装置の制御部１５による要部フローチャートである。図３において、ステップ２７で制御部１５内部の時計機能を利用して、夜間かどうかの判断を行い、夜間であれば端末発呼を行う。
【００２３】
以上のように、本実施例においては、制御部１５内部の時計機能を利用して、夜間に端末発呼を行うモードを備えることにより、電話利用の少ない夜間は端末発呼前に電話機のオフフック検出をする確率が低下し、夜間の電池の消費電力を低減した端末網制御装置を提供することができる。
【００２４】
（実施例３）
図４は、本発明の実施例３の端末網制御装置の制御部１５による要部フローチャートである。図４において、ステップ２８で制御部１５内部の時計機能を利用して、使用者の電話使用頻度が少ない時間帯かどうかの判断を行い、使用者の電話使用頻度が少ない時間帯であれば端末発呼を行う。
【００２５】
以上のように、本実施例においては、制御部１５内部の時計機能を利用して、使用者の電話使用頻度が少ない時間帯に端末発呼を行うモードを備えることにより、使用者の電話使用頻度が少ない時間帯は端末発呼前に電話機のオフフック検出をする確率が低下し、使用者の電話使用頻度が少ない時間帯の電池の消費電力を低減した端末網制御装置を提供することができる。
【００２６】
（実施例４）
図５は、本発明の実施例４の端末網制御装置の制御部１５による要部フローチャートである。図５において、ステップ２９で制御部１５内部の時計機能を利用して、ある一定時間使用者の電話使用がなかったかどうかの判断を行い、ある一定時間使用者の電話使用がなかった場合に端末発呼を行う。
【００２７】
以上のように、本実施例においては、制御部１５内部の時計機能を利用して、ある一定時間使用者の電話使用がなかった場合に端末発呼を行うモードを備えることにより、端末発呼前に電話機のオフフック検出をする確率が低下し、電池の消費電力を低減した端末網制御装置を提供することができる。
【００２８】
（実施例５）
図６は、本発明の実施例５の端末網制御装置の回線電圧検出部１２内のブロック図である。図６において、３０はリンギングなどを検出する高圧検出部、３１は電話機のオフフックなどを検出する低圧検出部、３２は回線オフや回線の断線を検出する回線オフ／断線検出部である。
【００２９】
以上のように、本実施例においては、回線電圧検出部１２に、回線オフや回線の断線も検出する機能を備えることにより、引越した場合や回線が断線した場合の常時オフフック検出と認識してしまうことを防止し、引越した場合や回線が断線した場合の電池の消費電力を低減した端末網制御装置を提供することができる。
【００３０】
（実施例６）
図７は、本発明の実施例６の端末網制御装置の制御部１５による要部フローチャートである。図７において、ステップ３３で制御部１５内部の時計機能を利用して、夜間かどうかの判断を行い、夜間であればスイッチ１部１７を常時制御する。
【００３１】
以上のように、本実施例においては、制御部１５内部の時計機能を利用して、夜間のみスイッチ１部１７を常時制御するモードを備えることにより、夜間には電話機のオンフック直後に端末発呼できる端末網制御装置を提供することができる。
【００３２】
（実施例７）
図８は、本発明の実施例７の端末網制御装置の制御部１５による要部フローチャートである。図８において、ステップ３４で制御部１５内部の時計機能を利用して、使用者の電話使用頻度が少ない時間帯かどうかの判断を行い、使用者の電話使用頻度が少ない時間帯であればスイッチ１部１７を常時制御する。
【００３３】
以上のように、本実施例においては、制御部１５内部の時計機能を利用して、使用者の電話使用頻度が少ない時間帯のみスイッチ１部１７を常時制御するモードを備えることにより、使用者の電話使用頻度が少ない時間帯には電話機のオンフック直後に端末発呼できる端末網制御装置を提供することができる。
【００３４】
【発明の効果】
以上のように、本発明の端末網制御装置によれば、端末発呼前に電話機のオフフックを検出した際の、オンフック検出までの電池の消費電力を低減することができるという効果が得られる。
【図面の簡単な説明】
【図１】本発明の実施例１における端末網制御装置のブロック図
【図２】同端末網制御装置のフローチャート
【図３】本発明の実施例２における端末網制御装置のフローチャート
【図４】本発明の実施例３における端末網制御装置のフローチャート
【図５】本発明の実施例４における端末網制御装置のフローチャート
【図６】本発明の実施例５における端末網制御装置のブロック図
【図７】本発明の実施例６における端末網制御装置のフローチャート
【図８】本発明の実施例７における端末網制御装置のフローチャート
【図９】従来の端末網制御装置のブロック図
【符号の説明】
１  端末網制御装置
２  電話回線
３  電話機
４  メータ端末
６  回線終端部
７  信号受信部
８  信号送信部
９  モデム部
１０  メータインターフェース部
１１  着信検出部
１２  回線電圧検出部
１５  制御部
１６  電池部
１７  スイッチ１部
１８  スイッチ２部
【図１】
2004153522.tif 000003
【図２】
2004153522.tif 000004
【図３】
2004153522.tif 000005
【図４】
2004153522.tif 000006
【図５】
2004153522.tif 000007
【図６】
2004153522.tif 000008
【図７】
2004153522.tif 000009
【図８】
2004153522.tif 000010
【図９】
2004153522.tif 000011